(57)【要約】      （修正有）【課題】作業者の負担を増加させることなく、作業者の安否を迅速かつ正確に確認することが可能な安否管理システム、方法、及びプログラムを提供する。【解決手段】安否管理システム１０は、作業者の安否を遠隔管理するシステムであって、安否管理サーバー２０と、作業者Ａが携帯する携帯端末３０とを備える。安否管理サーバーは、作業者に異常が発生した場合に、所定の異常時処理を実行するように構成されている。携帯端末は、作業者の安否を確認するための確認音声を出力した後、作業者の応答による所定の応答音声が取得されない場合に、作業者Ａに異常が発生したものとして安否管理サーバーに異常を知らせる情報を発報するように構成されている。【選択図】図１
2020071586.tif 000002
【特許請求の範囲】
【請求項１】
作業者の安否を遠隔管理するシステムであって、
作業者に異常が発生した場合に、所定の異常時処理を実行する安否管理サーバーと、
作業者が携帯する携帯端末であって、作業者の安否を確認するための確認音声を出力した後、作業者の応答による所定の応答音声が取得されない場合に、作業者に異常が発生したものとして前記安否管理サーバーに異常を知らせる情報を発報する携帯端末と、
を備えることを特徴とする安否管理システム。
【請求項２】
請求項１に記載の安否管理システムであって、
前記携帯端末は、前記確認音声の出力、前記応答音声の取得、及び前記異常を知らせる情報の発報を含む安否管理プロセスを実行するための安否管理プログラムを含み、
前記安否管理サーバーは、前記安否管理プログラムの起動及び停止を行うことを特徴とする安否管理システム。
【請求項３】
請求項２に記載の安否管理システムであって、
前記安否管理サーバーは、作業者の勤務状況を記憶する入退館システムから当該勤務状況を取得し、当該勤務状況に基づいて前記安否管理プログラムの起動及び停止を行うことを特徴とする安否管理システム。
【請求項４】
請求項１〜３のいずれか１項に記載の安否管理システムであって、
前記携帯端末は、
端末本体と、
前記確認音声を出力するイヤホンと、
前記所定の応答音声を含む音を取得するマイクと、
を備えることを特徴とする安否管理システム。
【請求項５】
請求項１〜４のいずれか１項に記載の安否管理システムであって、
前記安否管理サーバーは、作業予定を記憶する作業編成サーバーから前記作業予定を取得して前記携帯端末に送信することを特徴とする安否管理システム。
【請求項６】
請求項５に記載の安否管理システムであって、
前記携帯端末は、前記作業予定の修正を受け付け、当該修正情報を前記安否管理サーバーに送信する手段を含み、
前記安否管理サーバーは、前記修正情報を取得したときに当該情報を登録することを特徴とする安否管理システム。
【請求項７】
請求項１〜６のいずれか１項に記載の安否管理システムであって、
前記携帯端末は、作業者が発する救助を要請する音声が取得された場合に、前記安否管理サーバーに異常を知らせる情報を発報することを特徴とする安否管理システム。
【請求項８】
請求項１〜７のいずれか１項に記載の安否管理システムであって、
前記携帯端末は、加速度センサーを備え、
前記加速度センサーにより所定の異常が検知された場合に、前記安否管理サーバーに異常を知らせる情報を発報することを特徴とする安否管理システム。
【請求項９】
作業者の安否を遠隔管理する方法であって、
作業者が携帯する携帯端末から作業者の安否を確認するための確認音声を出力するステップと、
前記確認音声が出力された後、作業者の応答による所定の応答音声が取得されない場合に、作業者に異常が発生したものとして安否管理サーバーに異常を知らせる情報を発報するステップと、
を含むことを特徴とする安否管理方法。
【請求項１０】
請求項９に記載の方法をコンピュータで実現するための安否管理プログラム。
【発明の詳細な説明】
【技術分野】
【０００１】
本発明は、安否管理システム、安否管理方法、及び安否管理プログラムに関し、より詳しくはビル設備を保守点検する作業者の安否を遠隔管理するシステム、方法、及びプログラムに関する。
【背景技術】
【０００２】
従来、エスカレーター、エレベーター等のビル設備を保守点検する作業者の安否を遠隔管理するための安否管理システムが知られている（例えば、特許文献１、２参照）。従来のシステムでは、現場で作業する作業者が、決められた時間帯（例えば、午前１１時〜１１時３０分）に、携帯端末を用いて管理サーバーにメールを送信する等して、自身に異常がないことを報告する必要がある。そして、決められた時間帯に作業者から連絡がなかった場合は、作業者に異常が発生したものとして所定の異常時対応が実行される。
【先行技術文献】
【特許文献】
【０００３】
【特許文献１】特開２０１６−２０６８５０号公報
【特許文献２】特開２０１５−０８４１６７号公報
【発明の概要】
【発明が解決しようとする課題】
【０００４】
ところで、従来のシステムでは、例えば作業者が連絡時間を忘れて徒過した場合や、手が汚れている等の理由で作業者が携帯端末を操作できず連絡が遅れた場合に、実際には作業者に異常がないにも関わらず、異常が発生したと誤判定される場合がある。また、従来のシステムは、実際に異常が発生した場合であっても、決められた連絡時間が経過するまで異常が把握できないため、異常時対応の迅速性の観点からも改良の余地がある。なお、迅速な異常時対応を可能にする方法としては、連絡の頻度を高くすることが考えられるが、この場合、作業者の負担が増加して作業効率が悪くなる。
【０００５】
本発明の目的は、作業者の負担を増加させることなく、作業者の安否を迅速かつ正確に確認することが可能な安否管理システム、方法、及びプログラムを提供することである。
【課題を解決するための手段】
【０００６】
本発明に係る安否管理システムは、作業者の安否を遠隔管理するシステムであって、作業者に異常が発生した場合に、所定の異常時処理を実行する安否管理サーバーと、作業者が携帯する携帯端末であって、作業者の安否を確認するための確認音声を出力した後、作業者の応答による所定の応答音声が取得されない場合に、作業者に異常が発生したものとして前記安否管理サーバーに異常を知らせる情報を発報する携帯端末とを備えることを特徴とする。
【０００７】
上記構成を備えた安否管理システムによれば、作業者は、自動的に出力される呼びかけ（確認音声）に対して音声で応答するだけで自身に異常がないことを連絡することができる。この場合、作業者が連絡時間を忘れて徒過することがなく、また作業者は音声で応答すればよいので、手が汚れていても、或いは作業中であっても安否連絡を行うことができる。加えて、呼びかけの頻度を高くしても作業者の負担は殆ど増加しないので、作業者の負担増を招くことなく、呼びかけの頻度を高くして迅速な異常時対応を実現できる。
【０００８】
本発明に係る安否管理システムにおいて、前記携帯端末は、前記確認音声の出力、前記応答音声の取得、及び前記異常を知らせる情報の発報を含む安否管理プロセスを実行するための安否管理プログラムを含み、前記安否管理サーバーは、前記安否管理プログラムの起動及び停止を行ってもよい。この場合、安否管理サーバーによって安否管理プログラムが自動的に起動及び停止されるので、作業者による当該プログラムの起動忘れ及び停止忘れを防止できる。
【０００９】
本発明に係る安否管理システムにおいて、前記安否管理サーバーは、作業者の勤務状況を記憶する入退館システムから当該勤務状況を取得し、当該勤務状況に基づいて前記安否管理プログラムの起動及び停止を行ってもよい。この場合、例えば作業者が出社時に安否管理プログラムを起動し、作業者の退社時に安否管理プログラムを停止することができる。
【００１０】
本発明に係る安否管理システムにおいて、前記携帯端末は、端末本体と、前記確認音声を出力するイヤホンと、前記所定の応答音声を含む音を取得するマイクとを備えていてもよい。イヤホンを用いることで確認音声が聞き取り易くなり、マイクを用いることで応答音声を拾うことが容易になる。
【００１１】
本発明に係る安否管理システムにおいて、前記安否管理サーバーは、作業予定を記憶する作業編成サーバーから前記作業予定を取得して前記携帯端末に送信してもよい。この場合、作業者は、当日の作業予定を携帯端末で確認できる。また、前記携帯端末は、前記作業予定の修正を受け付け、当該修正情報を前記安否管理サーバーに送信する手段を含み、前記安否管理サーバーは、前記修正情報を取得したときに当該情報を登録してもよい。この場合、作業予定の修正が容易であり、修正後の作業予定に従った安否管理を実行できる。
【００１２】
本発明に係る安否管理システムにおいて、前記携帯端末は、作業者が発する救助を要請する音声が取得された場合に、前記安否管理サーバーに異常を知らせる情報を発報してもよい。また、前記携帯端末は、加速度センサーを備え、前記加速度センサーにより所定の異常が検知された場合に、作業者に異常が発生したものとして前記安否管理サーバーに異常を知らせる情報を発報してもよい。
【００１３】
本発明に係る安否管理方法は、作業者の安否を遠隔管理する方法であって、作業者が携帯する携帯端末から作業者の安否を確認するための確認音声を出力するステップと、前記確認音声が出力された後、作業者の応答による所定の応答音声が取得されない場合に、安否管理サーバーに異常を知らせる情報を発報するステップとを含むことを特徴とする。
【００１４】
本発明に係る安否管理プログラムは、上記方法をコンピュータで実現するためのプログラムである。
【発明の効果】
【００１５】
本発明に係る安否管理システムによれば、作業者の負担を増加させることなく、作業者の安否を迅速かつ正確に確認することができる。
【図面の簡単な説明】
【００１６】
【図１】実施形態の一例である安否管理システムの概要を示す図である。
【図２】実施形態の一例である安否管理システムの構成を示すブロック図である。
【図３】実施形態の一例である安否管理の制御手順を示すフローチャートである。
【図４】実施形態の一例である安否管理の制御手順を示すフローチャートである。
【発明を実施するための形態】
【００１７】
以下、図面を参照しながら、本発明に係る安否管理システム、安否管理方法、及び安否管理プログラムの実施形態について詳細に説明する。但し、本発明は、以下で説明する実施形態に限定されない。以下では、ビル設備を保守点検する作業者の安否を遠隔管理する安否管理システム１０を例示するが、本発明に係る安否管理システムは、種々の作業者の安否管理に適用できる。
【００１８】
図１は実施形態の一例である安否管理システム１０の概要を示す図、図２は安否管理システム１０の構成を示すブロック図である。図１及び図２に例示するように、安否管理システム１０は、安否管理サーバー２０と、作業者が携帯する携帯端末３０とを備える。安否管理システム１０は、エスカレーター、エレベーター等のビル設備を保守点検する作業者の安否を遠隔管理するためのシステムである。また、安否管理システム１０は、作業編成サーバー５０及び入退館システム１００の動静管理サーバー６０に接続され、当該各サーバーに記憶された情報を安否管理に利用する。
【００１９】
詳しくは後述するが、携帯端末３０は、作業者の安否を確認するための確認音声を出力した後、作業者の応答による所定の応答音声が取得されない場合に、作業者に異常が発生したものとして安否管理サーバー２０に異常を知らせる情報を発報する。そして、安否管理サーバー２０は、作業者に異常が発生した場合、即ち携帯端末３０から作業者の異常を知らせる情報を受信したときに、所定の異常時処理を実行する。本実施形態では、確認音声の出力、応答音声の取得、及び異常を知らせる情報の発報を含む一連の安否管理プロセスを実行するための安否管理プログラムが携帯端末３０にインストールされている。
【００２０】
安否管理システム１０は、安否管理すべき作業者が複数存在する場合に、各作業者の安否を個別に管理できるように構成されている。即ち、安否管理システム１０によれば、別の現場で作業する作業者Ａ，Ｂの安否をそれぞれ独立に管理できる。なお、作業者Ａ，Ｂの作業現場が近い場合には、後述の異常時対応において作業者Ａ，Ｂの連携を図ることができる。以下では、作業者Ａに関する安否管理を例に挙げて、安否管理システム１０の構成及び作用効果について詳説する。
【００２１】
安否管理システム１０は、作業者Ａが出社してから退社するまでの安否管理を行う。本実施形態では、作業者Ａの出社、外出、帰社、及び退社を管理する入退館システム１００から作業者Ａの勤務状況を取得して安否管理に利用する。具体的には、安否管理サーバー２０が、作業者Ａの勤務状況を記憶する入退館システム１００の動静管理サーバー６０にアクセスし、当該サーバーから必要な情報を取得する。また、安否管理サーバー２０は、作業者Ａの作業予定のデータを記憶する作業編成サーバー５０にアクセスし、当該サーバーから安否管理に必要な情報を取得する。
【００２２】
安否管理サーバー２０は、例えば、ビル設備を遠隔管理する情報センターに設置されている。安否管理サーバー２０と携帯端末３０の通信は、一般的に、ルーター７０を介して接続された広域通信網（インターネット）を利用して行われる。安否管理サーバー２０には、作業者Ａの管理責任者（上司）等のコンピュータ２５が接続されており、安否管理システム１０は、管理責任者等に対して後述の緊急連絡を行うことができるように構成されている。作業者Ａは、例えば、所属する又は勤務するオフィスに出勤し、勤務時間中は常時、携帯端末３０を携帯している。
【００２３】
安否管理サーバー２０は、携帯端末３０から作業者Ａの異常を知らせる情報（以下、「異常発生情報」という場合がある）を受信したときに、所定の異常時処理を実行する管理装置である。異常時処理とは、作業者Ａに異常が発生したものとして、作業者Ａの管理責任者、作業者Ａの近くで作業している他の作業者（例えば、作業者Ｂ）等に対し、作業者Ａを救助する異常時対応を実施させるための処理である。具体例としては、管理責任者等に対して、作業者Ａに異常が発生した可能性があることを伝える緊急連絡を行うことが挙げられる。
【００２４】
安否管理サーバー２０は、異常発生情報を受信したときに、例えば管理責任者のコンピュータ２５に作業者Ａに異常が発生した可能性があることを伝える緊急連絡のメッセージ等を送信する。安否管理サーバー２０は、作業者Ａの近くで作業する作業者Ｂの携帯端末３０に緊急連絡のメッセージ等を送信してもよい。緊急連絡を受けた管理責任者等は、異常時対応として、例えば作業者Ａの携帯端末３０に至急連絡を入れ、応答がない場合には作業者Ａの安否確認に向かう。
【００２５】
上記緊急連絡には、作業者Ａが携帯する携帯端末３０の位置情報、異常発生の直前に作業者Ａが行った保守点検データなど、作業者Ａの安否確認、救出において有用な情報が含まれることが好ましい。安否管理サーバー２０は、必要により、管理責任者、作業者Ｂに加えて、消防署等の社外の機関に緊急連絡を行ってもよい。なお、異常時対応については、従来と同じ方法を適用できる。
【００２６】
安否管理サーバー２０は、安否管理プログラムの起動及び停止を行う起動停止手段２１と、携帯端末３０に作業者Ａの作業予定のデータを送信する予定送信手段２２と、異常時処理手段２３とを含む。異常時処理手段２３は、携帯端末３０から異常発生情報を受信したときに、管理責任者等に対する上記緊急連絡など、所定の異常時処理を実行する。但し、安否管理サーバー２０の構成は特に限定されず、例えば予定送信手段２２の機能を有していなくてもよく、また起動停止手段２１の機能が携帯端末３０に設けられていてもよい。
【００２７】
安否管理サーバー２０は、例えばＣＰＵ、メモリ、入出力ポート、制御プログラム等が記憶された記憶部２４を含むコンピュータで構成される。上記各手段の機能は、例えば、記憶部２４に記憶された制御プログラムを実行することで実現できる。なお、安否管理サーバー２０は、複数のサーバー（コンピュータ）で構成されていてもよい。作業編成サーバー５０及び動静管理サーバー６０についても、安否管理サーバー２０と同様にコンピュータで構成される。
【００２８】
起動停止手段２１は、入退館システム１００から取得される作業者Ａの勤務状況に基づいて、携帯端末３０にインストールされた安否管理プログラムを起動及び停止させることが好ましい。起動停止手段２１は、安否管理プログラムを起動させる起動信号、及び安否管理プログラムを停止させる停止信号を携帯端末３０に送信する。携帯端末３０は、受信した信号に基づいて安否管理プログラムを起動又は停止する。
【００２９】
入退館システム１００とは、作業者Ａを含む各社員の出社、外出、帰社、及び退社を管理するためのシステムであって、当該システムは社員証１０１（例えば、ＩＣカード）に記憶された各社員の識別情報を読み取るＩＣカードリーダーを備える。作業者Ａを含む各社員は、出社時、退社時等に、社員証１０１をＩＣカードリーダーにかざすが、これにより社員の勤務状況が把握され管理される。図１に示す例では、作業者Ａの勤務状況が動静管理サーバー６０に記憶され、安否管理サーバー２０は動静管理サーバー６０にアクセスすることで作業者Ａの勤務状況を取得できる。
【００３０】
起動停止手段２１は、作業者Ａの勤務状況を記憶する入退館システム１００の動静管理サーバー６０から作業者Ａの出社情報を取得したときに、安否管理プログラムを起動する。また、動静管理サーバー６０から作業者Ａの退社情報を取得したときに、安否管理プログラムを停止する。或いは、作業者Ａが外出するときに安否管理プログラムを起動し、帰社したときに安否管理プログラムを停止してもよい。この場合、作業者Ａが安否管理プログラムの起動をし忘れる、又は当該プログラムの停止を忘れることを防止でき、適切なタイミングでプログラムを起動又は停止できる。
【００３１】
予定送信手段２２は、作業編成サーバー５０から作業者Ａの作業予定のデータを取得して携帯端末３０に送信する。作業編成サーバー５０には、作業予定を入力するためのコンピュータ５１が接続されており、作業者Ａを含む複数の作業者の作業予定のデータが記憶されている。予定送信手段２２は、安否管理プログラムが起動したときに、作業編成サーバー５０から作業者Ａの当日の作業予定のデータを取得し、当該データを携帯端末３０に送信する。或いは、予定送信手段２２は、携帯端末３０から作業予定送付の要求があったときに、作業予定のデータを携帯端末３０に送信してもよい。これにより、作業者Ａは当日の作業予定を携帯端末３０で確認できる。
【００３２】
携帯端末３０は、作業者Ａの安否を確認するための確認音声を出力して、作業者Ａの応答による所定の応答音声を取得する。携帯端末３０は、所定の応答音声が取得されない場合に、作業者Ａに異常が発生したものとして安否管理サーバー２０に異常を知らせる情報（異常発生情報）を発報する。そして、異常発生情報を受信した安否管理サーバー２０は、所定の異常時処理を実行する。この場合、作業者Ａは、確認音声に対して音声で応答するだけで自身に異常がないことを連絡することができるので、連絡時間を忘れて徒過することがなく、また手が汚れていても、或いは作業中であっても安否連絡を行うことができる。
【００３３】
携帯端末３０は、端末本体３１と、確認音声を出力するイヤホン３２と、所定の応答音声を含む音を取得するマイク３３とを備える。イヤホン３２を用いることで確認音声が聞き取り易くなり、マイク３３を用いることで応答音声を拾うことが容易になる。端末本体３１は、広域通信網及びルーター７０を介して安否管理サーバー２０に情報を送信し、安否管理サーバー２０から情報を受信可能な通信機能を有する。また、端末本体３１は、位置情報を示す機能（ＧＰＳ機能）を有する。端末本体３１の一例は、スマートフォン、携帯電話、タブレット端末、ノートパソコンである。端末本体３１は、携帯性、操作性等の観点から、スマートフォンであることが好ましい。
【００３４】
図１に示す例では、イヤホン３２はヘッドフォン型であり、マイク３３と一体化されている。即ち、携帯端末３０は、イヤホン３２及びマイク３３を含む所謂ヘッドセットを有する。ヘッドセット（イヤホン３２及びマイク３３）は、端末本体３１と有線接続されていてもよく、無線接続されていてもよい。なお、携帯端末は、安否管理サーバー２０との通信機器を内蔵するヘッドセットのみで構成されてもよい。
【００３５】
携帯端末３０は、作業予定の修正を受け付け、当該修正情報を安否管理サーバー２０に送信するように構成されていてもよい。作業者Ａは、例えば当日作業予定が変更になった場合に、端末本体３１の入力部４６（例えば、スマートフォンの画面に表示されるキーボード）を操作して、安否管理サーバー２０から送信された作業予定を修正する。安否管理サーバー２０は、作業予定の修正情報を取得したときに当該情報を登録する。これにより、修正後の作業予定に従った安否管理を実行できる。安否管理サーバー２０は、修正情報を作業編成サーバー５０に送信し、当該サーバーのデータを更新してもよい。
【００３６】
携帯端末３０は、加速度センサー４７を備えていてもよい。加速度センサー４７は、ヘッドセットに設けられてもよいが、好ましくは端末本体３１に設けられる。加速度センサー４７は、端末本体３１に作用する鉛直方向の加速度を検知する。なお、加速度センサー４７には、従来公知のセンサーを適用できる。携帯端末３０は、加速度センサー４７により所定の異常が検知された場合に、安否管理サーバー２０に異常発生情報を発報（異常発報）するように構成されていてもよい。
【００３７】
携帯端末３０は、確認音声の出力、応答音声の取得、及び異常発報を含む一連の安否管理プロセスを実行する制御部４０を備える。制御部４０は、確認音声を出力する音声出力手段４１と、所定の応答音声が取得されない場合に異常発報を行う異常発報手段４２とを含む。また、制御部４０は、作業者Ａが発する救助を要請する音声が取得された場合に、安否管理サーバー２０に異常発報する緊急処理手段４３を含むことが好ましい。さらに、制御部４０は、当日の作業予定の修正を受け付けて修正情報を安否管理サーバー２０に送信する手段、及び加速度センサー４７を利用した追加の安否管理手段を含んでいてもよい。
【００３８】
制御部４０は、例えば、端末本体３１に内蔵されたマイクロコンピュータで構成され、上記安否管理プロセスを実行するための安否管理プログラムを含む。制御部４０を構成するマイクロコンピュータは、ＣＰＵ、メモリ、入出力ポート、安否管理プログラム等が記憶された記憶部４４を含む。上記各手段の機能は、例えば、記憶部４４に記憶された安否管理プログラムを実行することで実現できる。安否管理プログラムは、上述の通り、安否管理サーバー２０から出力される信号に基づいて起動及び停止する。即ち、安否管理システム１０において、安否管理サーバー２０が上位装置、携帯端末３０が下位装置であるといえる。
【００３９】
音声出力手段４１は、例えば作業者Ａの作業予定に基づいて、作業者Ａの安否を確認するための確認音声を出力する。音声出力手段４１は、安否管理サーバー２０から送信された作業予定、又は作業予定が修正された場合は修正された予定に基づいて、３０分毎、１時間毎など、定期的に確認音声を出力する。一方、確認音声は、作業予定等に応じて異なる間隔で出力されてもよく、その頻度は特に限定されない。確認音声の一例としては、「作業は順調ですか？」、「異常はありませんか？」、「作業は順調ですか？作業が終了したら、通知して下さい。」のような内容が挙げられる。
【００４０】
音声出力手段４１は、作業開始予定時刻に、又は携帯端末３０の位置情報等から作業者Ａが現場に到着した情報を取得したときに、安否管理プロセスの開始を知らせる開始通知をメッセージ又は音声で出力することが好ましい。音声出力手段４１は、開始通知を出力し、作業者Ａから所定の応答を受信したことを条件として、確認音声の出力を開始する。開始通知は、作業者Ａが安否管理プロセスの開始を認識できるものであればよく、一例としては、「安否管理を開始します。この後は、音声にて応答して下さい。」のような内容が挙げられる。
【００４１】
制御部４０は、作業者Ａから作業開始の通知を受信したことを条件として、安否管理プロセスを開始してもよい。例えば、作業者Ａが現場に到着して「〇〇ビル作業開始」と発声したときに、制御部４０が当該音声を取得し、「了解しました。安否管理サーバーに連絡し、安否監視に入ります。」等の音声を出力してもよい。また、制御部４０は、作業開始を知らせる信号を安否管理サーバー２０に送信する。
【００４２】
異常発報手段４２は、確認音声等に対する作業者Ａの応答による応答音声を取得する。応答音声はマイク３３により拾われ、異常発報手段４２によって所定の応答音声であるか否かが判定される。異常発報手段４２は、音声出力手段４１により確認音声が出力された後、１０秒間、３０秒間など、所定時間内にマイク３３で拾われる音を取得し、その音が予め定められた所定の応答音声であるか否かを判定する。所定の応答音声は、「ＯＫ」、「異常なし」など、周囲の雑音と区別可能で異常発報手段４２による判定が可能なワードであればよい。所定の応答音声には、音量の閾値を設定してもよい。
【００４３】
異常発報手段４２は、確認音声が出力された後、所定時間内に所定の応答音声が取得されない場合に、作業者Ａに異常が発生したものとして、安否管理サーバー２０に異常発報を行う。異常発報は、例えば異常発生を知らせる信号を安否管理サーバー２０に送信することにより行われる。他方、所定の応答音声が取得された場合には、安否管理サーバー２０に対して異常がないことを知らせる信号を出力する必要はない。つまり、異常発報手段４２は、所定の応答音声が取得されない、異常発生の可能性がある場合にのみ、異常発報を行う。
【００４４】
緊急処理手段４３は、作業者Ａが発する救助を要請する音声が取得された場合に、安否管理サーバー２０に異常発報を行う。つまり、緊急処理手段４３は、音声出力手段４１により確認音声が出力される時間帯以外においても、救助を要請する音声が取得された場合には異常発報を行う。これにより、異常時対応の迅速性がさらに向上する。救助を要請する音声は、特に限定されないが、「異常発生」、「ヘルプ」、「助けて」など、周囲の雑音及び上記所定の応答音声と区別可能で緊急処理手段４３による判定が可能なワードであればよい。
【００４５】
制御部４０は、加速度センサー４７により所定の異常が検知された場合に、安否管理サーバー２０に異常発報を行ってもよい。例えば、加速度センサー４７により検知される加速度が所定の閾値を超える場合、又は所定時間以上、加速度の変化が検知されない場合に、異常が発生したものとして異常発報を行う。
【００４６】
以下、図３及び図４を参照しながら、上記構成を備えた安否管理システム１０の制御手順の一例について詳説する。図３は作業者Ａの出社により安否管理プログラムが起動されてから作業者Ａが現場に出発するまでの手順を示すフローチャートであり、図４は作業者Ａが現場に到着してから帰社（安否管理プログラムが停止）するまでの手順を示すフローチャートである。図３及び図４では、紙面の左半分に安否管理サーバー２０の制御手順を、紙面の右半分に携帯端末３０の制御手順を示している。
【００４７】
図３及び図４に例示するように、安否管理システム１０による安否管理プロセスは、作業者Ａが携帯する携帯端末３０から作業者Ａの安否を確認するための確認音声を出力するステップと、確認音声が出力された後、作業者Ａの応答による所定の応答音声が取得されない場合に、安否管理サーバー２０に異常発報するステップとを含む。携帯端末３０にインストールされた安否管理プログラムは、当該安否管理プロセスをコンピュータで実現するためのプログラムである。
【００４８】
安否管理システム１０では、作業者Ａの出社に伴い、安否管理プログラムを起動する（Ｓ１０〜Ｓ１２）。作業者Ａは出社すると、入退館システム１００のＩＣカードリーダーに社員証１０１をかざすが、これにより、作業者Ａの出社情報が入退館システム１００の動静管理サーバー６０に記憶される。そして、安否管理サーバー２０は、動静管理サーバー６０から作業者Ａの出社情報を取得したときに、作業者Ａの携帯端末３０に安否管理プログラムを起動させる起動信号を送信する（Ｓ１０、Ｓ１１）。携帯端末３０では、起動信号を受信することで、安否管理プログラムが起動する（Ｓ１２）。Ｓ１０〜Ｓ１２の手順は、起動停止手段２１により実行される。
【００４９】
次に、安否管理プログラムの起動により、自動的に作業予定の送信を要求する要求信号が安否管理サーバー２０に送信され、要求信号に基づいて安否管理サーバー２０が当日の作業予定のデータを作業編成サーバー５０から取得して携帯端末３０に送信する（Ｓ１３〜Ｓ１５）。当該要求信号は作業者Ａの操作（指示）に基づいて出力されてもよく、或いは要求信号によらず安否管理サーバー２０が自動的に作業予定のデータを作業編成サーバー５０から取得して携帯端末３０に送信してもよい。Ｓ１３〜Ｓ１５の手順は、予定送信手段２２により実行される。
【００５０】
作業者Ａは、携帯端末３０で当日の作業予定を確認でき、変更点がある場合には作業予定を修正できる。作業者Ａが携帯端末３０の入力部４６を操作して当日の作業予定を修正した場合、携帯端末３０は修正情報を安否管理サーバー２０に送信し、安否管理サーバー２０は当該修正情報を登録する（Ｓ１６〜Ｓ１８）。安否管理サーバー２０は、修正された作業予定のデータを記憶部２４等に記憶することで、修正された予定に基づく安否管理を実行することが可能になる。
【００５１】
次に、作業者Ａが現場に向かうためにオフィスを退出した後、安否管理プロセスの開始を知らせる開始通知をメッセージ又は音声で出力する（Ｓ１９、Ｓ２０）。開始通知は、例えば「安否管理を開始します。この後は、音声にて応答して下さい。」のように、安否管理プロセスが開始されることを作業者Ａが認識できる内容であればよい。開始通知は、例えば、作業者Ａがオフィスを退出してから所定時間経過後に、又は作業開始予定時間に、或いは携帯端末３０の位置情報から作業者Ａが現場に到着した情報が取得されたときに出力される。Ｓ１９、Ｓ２０の手順は、音声出力手段４１により実行される。
【００５２】
上記開始通知に対して、作業者Ａから所定の応答を取得したことを条件として、確認音声を出力する安否管理プロセスを開始する（Ｓ２１）。作業者Ａは、開始通知に対して、入力部４６の操作又は音声により、「ＯＫ」、「了解」等の応答を行う。一方、作業者Ａが現場に到着していないなど、作業を始めることができる状況にない場合は、入力部４６の操作又は音声により、安否管理プロセスの開始を保留して待機状態を継続する。開始通知に対して、作業者Ａが何の応答もしない場合、携帯端末３０は、作業者Ａに異常が発生したものとして安否管理サーバー２０に異常発報してもよい（Ｓ２５）。Ｓ２１、Ｓ２５の手順は、異常発報手段４２により実行される。
【００５３】
上記開始通知から所定時間以内に所定の応答が取得された場合に、安否管理プロセスを開始し、作業者Ａの安否を確認するための確認音声を出力する（Ｓ２２）。この手順は、音声出力手段４１により実行される。確認音声は、「作業は順調ですか？終了時は通知して下さい。」のように、作業者Ａの安否を尋ねる内容であればよい。確認音声は、例えば３０分毎、１時間毎など、定期的に出力される。
【００５４】
確認音声の出力から所定時間内に、所定の応答音声が取得されない場合は、作業者Ａに異常が発生したものとして、安否管理サーバー２０に異常発報を行う（Ｓ２３、Ｓ２５）。Ｓ２３、Ｓ２５の手順は、異常発報手段４２により実行される。なお、所定の応答音声は、「ＯＫ」、「異常なし」のように、周囲の雑音と区別可能で異常発報手段４２による判定が可能なワードであればよい。異常発生情報を受信した安否管理サーバー２０は、管理責任者に緊急連絡を行う等、所定の異常時処理を実行する（Ｓ２６、Ｓ２７）。Ｓ２６、Ｓ２７の手順は、異常時処理手段２３により実行される。安否管理サーバー２０は、端末本体３１のスピーカーから音声やブザー音を出力して、周囲に異常の発生を知らせてもよい。
【００５５】
確認音声に対して、作業者Ａが所定の応答音声を行い、当該応答音声が異常発報手段４２によって取得された場合、携帯端末３０は安否管理サーバー２０に対して特別な信号を送信せず、作業が終了するまで確認音声の定期的な出力を繰り返す。そして、作業終了の音声を取得したときに、作業終了情報を安否管理サーバー２０に送信し、作業終了の登録を行う（Ｓ２４、Ｓ２８〜Ｓ３０）。
【００５６】
作業者Ａが次の現場に移動して作業を行う場合は、次の現場においてＳ２０〜Ｓ３０の手順を再度実行する。このとき、音声出力手段４１は、「現場に着いたら作業開始を知らせて下さい。」等の音声又はメッセージを所定の頻度で出力し、移動中の安否管理を行ってもよい。移動中の安否管理は、携帯端末３０の位置情報を用いて行ってもよい。制御部４０は、携帯端末３０の位置情報の変化から、作業者Ａが次の現場への移動を開始したと判断した場合に、移動開始を知らせる信号を安否管理サーバー２０に送信してもよい。
【００５７】
全ての現場における作業が終了した後、作業者Ａがオフィスに帰社したときに、安否管理プログラムを停止する（Ｓ３１〜Ｓ３３）。安否管理サーバー２０は、動静管理サーバー６０から作業者Ａの帰社情報を取得したときに、作業者Ａの携帯端末３０に安否管理プログラムを停止させる停止信号を送信する（Ｓ３１、Ｓ３２）。携帯端末３０では、停止信号を受信することで、安否管理プログラムが停止する（Ｓ３３）。Ｓ３１〜Ｓ３３の手順は、起動停止手段２１により実行される。なお、作業者Ａの帰社により安否管理プログラムは停止されるが、再び現場に出向く必要がある場合には、安否管理プログラムを自動的に又は手動で再起動して、上記安否管理プロセスを再開する。
【００５８】
上述の安否管理プロセスにおいて、加速度センサー４７を利用した追加の安否管理が実行されてもよい。つまり、加速度センサー４７により所定の異常が検知された場合に、安否管理サーバー２０に異常発報を行ってもよい。また、確認音声の出力に関わらず、作業者Ａが発する救助を要請する音声が取得された場合に、安否管理サーバー２０に異常発報を行ってもよい。
【００５９】
以上のように、上述の安否管理プロセスによれば、作業者Ａは、自動的に出力される確認音声に対して音声で応答するだけで自身に異常がないことを連絡することができる。作業者Ａが連絡時間を忘れて徒過することがなく、また作業者Ａは音声で応答すればよいので、手が汚れていても、或いは作業中であっても安否連絡を行うことができる。加えて、確認音声の出力頻度を高くしても作業者Ａの負担は殆ど増加しないので、作業者Ａの負担増を招くことなく、安否確認の頻度を高くして迅速な異常時対応を実現できる。
【符号の説明】
【００６０】
１０  安否管理システム、２０  安否管理サーバー、２１  起動停止手段、２２  予定送信手段、２３  異常時処理手段、２４，４４  記憶部、２５，５１  コンピュータ、３０  携帯端末、３１  端末本体、３２  イヤホン、３３  マイク、４０  制御部、４１  音声出力手段、４２  異常発報手段、４３  緊急処理手段、４６  入力部、４７  加速度センサー、５０  作業編成サーバー、６０  動静管理サーバー、７０  ルーター、１００  入退館システム、１０１  社員証、Ａ，Ｂ  作業者
【図１】
2020071586.tif 000003
【図２】
2020071586.tif 000004
【図３】
2020071586.tif 000005
【図４】
2020071586.tif 000006